(57)【要約】【課題】この発明は、照明装置２００に対して木目細かな調光制御が可能な調光装置１００を提供することを目的とする。【解決手段】調光制御システム１０００は、調光装置１００と複数の照明装置２００とを備える。それぞれの照明装置２００は、調光装置１００から調光信号を入力して調光信号に従った電力をランプ２２０に供給する。調光装置１００は、一つの調光率と前記一つの調光率に対応する一つの保持時間とからなる組を２組以上含むとともにそれぞれの組に順位を示す制御テーブル番号が付与されている制御テーブルを記憶する制御テーブル記憶部１１２と、制御テーブルにおける制御テーブル番号の順に、制御テーブルが付与された組の調光率に対応する調光信号を生成するとともに生成した調光信号をこの調光信号の生成の元となる調光率に対応する保持時間だけ累積的に照明装置２００に出力するＣＰＵ１１１）とを有する。【選択図】図１
2007273169.tif 000002
【特許請求の範囲】
【請求項１】
ランプへの電力供給量を指示する調光信号を入力して調光信号にしたがった電力を前記ランプに供給するランプ点灯装置に調光信号を出力する調光装置において、
一つの調光率と前記一つの調光率に対応する一つの対応時間とからなる組を２組以上含むとともにそれぞれの組に順位を示す順位識別子が付与されている調光率テーブルを記憶する調光率テーブル記憶部と、
前記調光率テーブル記憶部が記憶する前記調光率テーブルにおける順位識別子の順に、順位識別子が付与された組の調光率に対応する調光信号を生成するとともに生成した調光信号をこの調光信号の生成の元となる調光率に対応する対応時間だけ累積的に前記ランプ点灯装置に出力する調光信号生成部と
を備えたことを特徴とする調光装置。
【請求項２】
前記調光装置は、さらに、
操作を受け付け、受け付けた操作に対応する操作信号を前記調光信号生成部に出力する操作信号出力部を備え、
前記調光信号生成部は、
前記操作信号出力部から所定の操作信号を入力すると、入力した所定の操作信号に応じて前記調光率テーブルに含まれる所定の順位識別子が付与された組を選択し、選択した組の調光率に対応する調光信号を生成するとともに生成した調光信号を選択した組の対応時間だけ累積的に前記ランプ点灯装置に出力することを特徴とする請求項１記載の調光装置。
【請求項３】
前記調光装置は、さらに、
操作を受け付け、受け付けた操作に対応する操作信号を前記調光信号生成部に出力する操作信号出力部を備え、
前記調光信号生成部は、
所定の順位識別子が付与された組の調光率に対応する調光信号を前記ランプ点灯装置に出力している場合に前記操作信号出力部から所定の操作信号を入力すると、入力した所定の操作信号に応じて前記調光率テーブルに含まれる所定の順位識別子が付与された組を選択し、選択した組の調光率に対応する調光信号を、選択した組の対応時間から所定の操作信号を入力した時に出力していた調光信号の累積出力時間を減じた残余時間だけ前記ランプ点灯装置に出力することを特徴とする請求項１記載の調光装置。
【請求項４】
前記調光装置は、さらに、
操作を受け付け、受け付けた操作に対応する操作信号を前記調光信号生成部に出力する操作信号出力部を備え、
前記調光信号生成部は、
前記操作信号出力部から操作信号として調光率の変動を指示する調光率変動信号を入力すると、前記調光率テーブルに含まれる調光率に所定の比率を乗じた乗算値に対応する調光信号を生成して前記ランプ点灯装置に出力することを特徴とする請求項１記載の調光装置。
【請求項５】
前記調光信号生成部は、
前記操作信号出力部から調光率変動信号を入力したことにより乗算値に対応する調光信号を生成して前記ランプ点灯装置に出力している場合に、前記操作信号出力部から次の調光率変動信号を入力すると、乗算値の算出の元である調光率に対応する調光信号を生成して前記ランプ点灯装置に出力することを特徴とする請求項４記載の調光装置。
【請求項６】
前記調光装置は、さらに、
商用電源から交流電力の供給を受け、供給を受けた交流電力に基づき前記調光信号生成部に直流電力を供給する電源回路と、
前記電源回路への商用電源からの交流電力の供給のＯＮとＯＦＦとを検出する検出回路とを備え、
前記調光信号生成部は、
前記検出回路が所定の時間の間に所定回数のＯＮ、ＯＦＦを検出すると、前記調光率テーブルに含まれる所定の順位識別子が付与された組を選択し、選択した組の調光率に対応する調光信号を生成するとともに生成した調光信号を選択した組の対応時間だけ累積的に前記ランプ点灯装置に出力することを特徴とする請求項１記載の調光装置。
【請求項７】
ランプへの電力供給量を指示する調光信号を入力して調光信号にしたがった電力を前記ランプに供給する点灯制御回路と、
一つの調光率と前記一つの調光率に対応する一つの対応時間とからなる組を２組以上含むとともにそれぞれの組に順位を示す順位識別子が付与されている調光率テーブルを記憶する調光率テーブル記憶部と、
前記調光率テーブル記憶部が記憶する前記調光率テーブルにおける順位識別子の順に、順位識別子が付与された組の調光率に対応する調光信号を生成するとともに生成した調光信号をこの調光信号の生成の元となる調光率に対応する対応時間だけ累積的に前記点灯回路に出力する調光信号生成部と
を備えたことを特徴とするランプ点灯装置。
【請求項８】
ランプへの電力供給量を指示する調光信号を入力して調光信号にしたがった電力を前記ランプに供給する点灯制御回路を有するランプ点灯装置と、
一つの調光率と前記一つの調光率に対応する一つの対応時間とからなる組を２組以上含むとともにそれぞれの組に順位を示す順位識別子が付与されている調光率テーブルを記憶する調光率テーブル記憶部と、
前記調光率テーブル記憶部が記憶する前記調光率テーブルにおける順位識別子の順に、順位識別子が付与された組の調光率に対応する調光信号を生成するとともに生成した調光信号をこの調光信号の生成の元となる調光率に対応する対応時間だけ累積的に前記ランプ点灯装置に出力する調光信号生成部と
を有する調光装置と
を備えたことを特徴とする調光制御システム。
【発明の詳細な説明】
【技術分野】
【０００１】
この発明は、連続調光可能な照明器具と、この照明装置に調光信号を出力して調光する調光装置とを備えた調光制御システム及び調光装置及び照明装置に関する。
【背景技術】
【０００２】
図１５を用いて調光制御の例を説明する。図１５は特許文献１に添付された図２（ａ）〜（ｃ）と同様の図である。図１５（ａ）は、ランプの点灯時の電力を一定にした場合の、累積点灯時間と光束の関係を示した特性図である。横軸がランプの累積点灯時間を示し、縦軸が光束を示す。図１５（ａ）に示すように、ランプの光束は累積点灯時間の経過に伴って低下する。図１５（ｂ）は、累積点灯時間の経過に伴ってランプの電力を増加することを示す図である。横軸が累積点灯時間を示し、縦軸がランプの電力を示す。ランプの光量が累積点灯時間に伴って低下することを抑制するため、図１５（ｂ）のように、累積点灯時間が短い時はランプの電力を全光の１００％よりも抑制し（例えば７０％）、累積点灯時間の経過に伴ってランプの電力を増加していく。このような制御により、図１５（ｃ）のように、累積点灯時間の経過によっても、ランプの光出力が概略一定になる。図１５（ｂ）のような制御ではランプの累積点灯時間ｔを計測し、計測した累積点灯時間ｔにより調光率（調光信号のデューティー）を管理している（特許文献１に添付の図１、図８、段落［００３４］に記載の表１など）。
【０００３】
しかし、このような制御方法では、累積点灯時間ｔに対し光束比率を決定しているため、制御が荒くなり変化幅が大きくなる課題がある（例えば特許文献１の表１）。また同時に、様々な照明環境の違い、例えはランプおよび器具の汚れ状態、ランプの特性違い、点滅回数による光束維持率の変化に対応できないという課題がある。
【特許文献１】特開２００１−０１５２７６号公報
【発明の開示】
【発明が解決しようとする課題】
【０００４】
この発明は、照明装置に対して木目細かな調光制御が可能な調光装置を提供することを目的とする。
【課題を解決するための手段】
【０００５】
この発明の調光装置は、
ランプへの電力供給量を指示する調光信号を入力して調光信号にしたがった電力を前記ランプに供給するランプ点灯装置に調光信号を出力する調光装置において、
一つの調光率と前記一つの調光率に対応する一つの対応時間とからなる組を２組以上含むとともにそれぞれの組に順位を示す順位識別子が付与されている調光率テーブルを記憶する調光率テーブル記憶部と、
前記調光率テーブル記憶部が記憶する前記調光率テーブルにおける順位識別子の順に、順位識別子が付与された組の調光率に対応する調光信号を生成するとともに生成した調光信号をこの調光信号の生成の元となる調光率に対応する対応時間だけ累積的に前記ランプ点灯装置に出力する調光信号生成部と
を備えたことを特徴とする。
【発明の効果】
【０００６】
この発明により、照明装置に対して木目細かな調光制御が可能な調光装置を提供することができる。
【発明を実施するための最良の形態】
【０００７】
実施の形態１．
まず、図１〜図４を用いて実施の形態１における調光制御システム１０００の構成を説明する。実施の形態１における調光制御システム１０００は、連続調光可能な複数の照明装置２００と、制御テーブル１１２−１に従い調光信号を出力する調光装置１００とを備えたシステムに関する。調光信号としては、例えばＰＷＭ（Ｐｕｌｓｅ  Ｗｉｄｔｈ  Ｍｏｄｕｌａｔｉｏｎ）方式を採用する。
【０００８】
図１は、調光制御システム１０００の構成を示す図である。図１に示すように、調光制御システム１０００は、調光装置１００と２台の照明装置２００（ランプ点灯装置）とを備える。調光装置１００と照明装置２００とには、商用電源１０から電力が供給される。
【０００９】
調光装置１００を説明する。調光装置１００は、マイクロコンピュータ１１０（以下、マイコン１１０という）と、電源回路１２０と、ゼロクロス検出回路１３０（検出回路）と、操作スイッチ１４０（操作信号出力部）と、増幅回路１５０とを備える。また、マイコン１１０は、ＣＰＵ１１１と、制御テーブル記憶部１１２と、不揮発メモリ１１３とを備える。
【００１０】
各構成要素の機能概要を説明する。
（１）マイコン１１０は、調光信号を出力する。ここで「調光信号」とは、ランプ２２０への電力供給量を指示する信号である。後述の照明装置２００の点灯制御回路２１１は調光信号を入力すると、調光信号にしたがった電力をランプ２２０に供給する。
（２）電源回路１２０は、商用電源１０に基づき、ＣＰＵ１１１に電力を供給する。
（３）ゼロクロス検出回路１３０は、商用電源１０のゼロクロス信号を検出してＣＰＵ１１１に出力する。ＣＰＵ１１１は、ゼロクロス検出回路１３０が検出するゼロクロス信号の有無により、商用電源１０が投入されているかどうかを判断する。
（４）操作スイッチ１４０は、操作を受け付け、受け付けた操作に対応する操作信号をＣＰＵ１１１に出力する。
（５）増幅回路１５０は、ＣＰＵ１１１が出力した調光信号を増幅する。
【００１１】
マイコン１１０の要素を説明する。
（１）制御テーブル記憶部１１２は、制御テーブル１１２−１を記憶する。制御テーブル１１２−１については後述する。
（２）不揮発メモリ１１３は、所定のデータを記憶する。不揮発メモリ１１３についても後述する。
（３）ＣＰＵ１１１は、制御テーブル１１２−１に基づき調光信号を生成して出力する。
【００１２】
照明装置２００の構成を説明する。照明装置２００は、ランプ２２０（放電灯）と、ランプ２２０を点灯させるインバータ装置２１０とを備える。インバータ装置２１０は、点灯制御回路２１１とランプ検出回路２１２とを備える。点灯制御回路２１１は、調光装置１００から調光信号を入力し、この調光信号にしたがった電力をランプ２２０に供給して、ランプ２２０を点灯させる。ランプ検出回路２１２は、ランプ２２０の有無を検出する。
【００１３】
次に図２、図３を用いて、制御テーブル１１２−１を説明する。図２は、制御テーブル記憶部１１２が記憶している制御テーブル１１２−１を示す図である。また図３は、制御テーブル１１２−１が有する調光率Ｄと保持時間Ｔとの関係を説明するための図である。
【００１４】
まず図２を説明する。制御テーブル１１２−１は、一つの調光率Ｄと、この一つの調光率Ｄに対応する一つの保持時間Ｔ（対応時間）とからなる組を２組以上含み、これらの組には制御テーブル番号ｉ（順位識別子）が付与されている。この制御テーブル番号ｉ（順位識別子）は、それぞれの「調光率Ｄと保持時間Ｔとの組」の順位を示すものである。通常は、ＣＰＵ１１１は、この制御テーブル番号ｉの順に（０，１，２，３・・・３０の順に）、調光信号を生成していく。このように制御テーブル１１２−１では、調光率Ｄと保持時間Ｔとが一つの組をなしており、この組に制御テーブル番号が付与されている。例えば、制御テーブル番号が「０」の場合、調光率７０％と保持時間２４０００分とが組をなしている。そして、この組には制御テーブル番号「０」が付与されている。ここで「保持時間Ｔ」とは、ＣＰＵ１１１がその調光率に対応する調光信号を照明装置２００に出力するべき累積的な出力時間を示し、予め設定された値である。例えば、制御テーブル番号が「０」の場合、ＣＰＵ１１１は、調光率７０％に対応する調光信号を累積時間として２４０００分を照明装置２００に出力する。そして、ＣＰＵ１１１は、２４０００分が経過すると、制御テーブル番号「１」の組を実行する。これについては後述する。
【００１５】
図３を説明する。図３は、制御テーブル１１２−１の作成方法を説明する図である。図３に破線で示すグラフ１は、背景技術の図１５（ｂ）に示したのと同じグラフであり、累積点灯時間の経過に伴ってランプの電力を増加することを示す図である。また、実線で示すグラフ２は、制御テーブル１１２−１の調光率Ｄと保持時間Ｔとの関係をグラフ化したものである。グラフ２には、制御テーブル番号０〜３までを示している。図３に示すように、制御テーブル１１２−１では、調光率と保持時間との関係は、ランプの光束維持率のカーブに反比例する特性（図１５（ｂ）の特性）を持つようにしており、また、調光率の解像度は、１％としている。すなわち、図３に示すように、制御テーブル１１２−１の調光率と保持時間との関係をグラフ化するとランプの光束維持率のカーブに反比例する特性である。また、調光率は制御テーブル１１２−１に示すように７０％〜１００％まで、１％の刻み（解像度）としている。すなわち、７０％〜１００％において、制御テーブル番号は０、１、・・・３０の３１の組が存在する。
【００１６】
次に図４を用いて不揮発メモリ１１３を説明する。
不揮発メモリ１１３は、
（１）ＣＰＵ１１１が実行中の制御テーブル番号ｉ、
（２）実行中の累積保持時間ｔ（計測値）、
（３）出力モード、
（４）リセット回数
などを記憶する。
【００１７】
上記の「（２）実行中の累積保持時間ｔ」とは、ＣＰＵ１１１が計測して不揮発メモリ１１３に記録する。また、「（３）出力モード」とは、後述する「省エネモード」、「通常モード」とのいずれのモードかを示すものである。「（４）リセット回数」とは、制御テーブル番号と累積保持時間ｔとを「０」とする処理をいう。
【００１８】
次に、調光装置１００の動作の概要を説明する。
（１）ＣＰＵ１１１は、不揮発メモリ１１３の制御テーブル番号ｉを参照する。例えば、初期状態ではデフォルトとして、テーブル番号「０」が記憶されている。図４はテーブル番号が「０」である。その場合、ＣＰＵ１１１は、テーブル番号「０」に基づき、制御テーブル１１２−１を参照して出力７０％に対応する調光信号を生成して出力する。
（２）ＣＰＵ１１１は、このとき不揮発メモリ１１３に、調光率７０％における累積保持時間ｔを記録する。具体的には、ＣＰＵ１１１は、ゼロクロス検出回路１３０が検出するゼロクロス信号の有無から商用電源１０が投入された時間を計測し、この計測した時間を累積保持時間ｔとして記憶する。あるいは、ＣＰＵ１１１は、自己が調光信号（調光率７０％に対応）を出力する時間をカウントし、このカウントした時間を累積保持時間ｔとして記憶する。あるいは、ＣＰＵ１１１は、ゼロクロス検出回路１３０が検出したゼロクロス信号と、自己がカウントした調光信号の出力時間との両者に基づき累積保持時間ｔを算出してもよい。
（３）ＣＰＵ１１１は、調光率７０％に対応する調光信号の累積出力時間である累積保持時間ｔ（分）と、制御テーブル番号「０」における保持時間Ｔ＝２４０００（分）とを比較判定する。ＣＰＵ１１１は、累積保持時間ｔがＴ０＝２４０００（分）になると、制御テーブル１１２−１を参照して制御テーブル番号「０」の次の順位の制御テーブル番号を検索する。図２の制御テーブル１１２−１では次の順位の制御テーブル番号「１」である。よって、ＣＰＵ１１１は、不揮発メモリ１１３のテーブル番号を「０」から「１」に書き換え、調光率７１％に対応する調光信号の出力を開始する。この場合、ＣＰＵ１１１は、制御テーブル番号「０」の実行において計測した累積保持時間ｔ（２４０００分になっている）をクリアして「０」にもどす。そして、ＣＰＵ１１１は、制御テーブル番号「０」の調光率７０％の場合と同様に、、制御テーブル番号「１」の調光率７１％における累積保持時間ｔを記録する。以下、順次同様にして、制御テーブル１１２−１の調光率Ｄｉと保持時間Ｔｉとの関係を実行していく。
【００１９】
実施の形態１の調光装置１００は、調光率Ｄと保持時間Ｔとをテーブル化した制御テーブルを有し、ＣＰＵ１１１が制御テーブルを元に保持時間Ｔと累積保持時間ｔとにより調光制御するので、きめ細かな調光制御が可能である。また、従来のようにランプ装着時から累積された累積点灯時間により管理する場合では、タイマーでカウントする場合に、光束維持率の基本となる１２，０００時間の（７２０，０００分）の３バイトのタイマーが必要となる。しかし、実施の形態１の調光装置１００では、制御テーブル１１２−１に記載されたうちの最大の保持時間Ｔをカウントできれば足りる。よって１２，０００時間（７２０，０００分）をカウントする場合に比べ、調光装置１００では、２バイトのカウンターで済む。また１分おきに累積保持時間ｔを不揮発メモリに書き込むとすれば、通常、不揮発メモリの書き込み回数は１０万回であるために、１４バイトのメモリ容量で済むこととなり、メモリの有効活用が可能となる。また、制御テーブルの調光率Ｄ〜保持時間Ｔからなる調光率特性を光束維持率の逆数とすることにより適正照度を維持しながら省エネルギー制御が可能となる。
【００２０】
実施の形態２．
次に図５〜図１１を用いて実施の形態２を説明する。実施の形態２は、操作スイッチ１４０の操作、電源スイッチ２０の操作、あるいは操作スイッチ１４０と電源スイッチ２０との両者の操作により、ＣＰＵ１１１が生成する調光信号を変更する実施形態である。本実施の形態２では、これらの操作の種類を実施例１〜実施例５に分けて以下に説明する。
【００２１】
（実施例１）
実施例１は、ＣＰＵ１１１が、ある制御テーブル番号「ｉ」（ｉは０〜３０のいずれかの整数）が付与された組を実行している場合において、操作スイッチ１４０に所定の操作がされた場合に、制御テーブル１１２−１における制御テーブル番号「０」が付与された組の実行を開始する実施例である。
【００２２】
図１の操作スイッチ１４０（操作信号出力部）は、操作を受け付け、受け付けた操作に対応する操作信号をＣＰＵ１１１（調光信号生成部）に出力する。ＣＰＵ１１１は、操作スイッチ１４０から「所定の操作信号」を入力すると、入力した「所定の操作信号」に応じて制御テーブル１１２−１に含まれる所定の制御テーブル番号（順位識別子）が付与された組を選択する。そして、ＣＰＵ１１１は、選択した組の調光率に対応する調光信号を生成するとともに生成した調光信号を選択した組の保持時間（対応時間）だけ累積的に照明装置（ランプ点灯装置）に出力する。
【００２３】
具体的な場合で説明する。ＣＰＵ１１１は、ある制御テーブル番号「ｉ」（ｉは０〜３０のいずれかの整数）が付与された組を実行している場合に、操作スイッチ１４０が２秒以上５秒未満おされたことを検知すると、不揮発メモリ１１３の制御テーブル番号を「０」に戻すとともに、それまでに計測中であった累積保持時間ｔを０に戻す。すなわち、初期状態に戻す処理である。
【００２４】
図５に示すように、操作スイッチ１４０は「２秒」押される操作を受け付けると、２秒間ＯＮの信号（所定の操作信号）をＣＰＵ１１１に出力する。ＣＰＵ１１１は、２秒間ＯＮの信号を入力すると、不揮発メモリ１１３の制御テーブル番号を「０」に戻すとともに、それまでに計測中であった累積保持時間ｔを０に戻す。図６（ａ）は、図５の時刻ｔ１直前の不揮発メモリ１１３を示す図である。図６（ａ）では、
（１）ＣＰＵ１１１が実行中の制御テーブル番号ｉ＝６、
（２）実行中の累積保持時間ｔ＝１２０００分、
（３）出力モード＝通常モード、
（４）リセット回数＝３
の場合を示す。図６（ｂ）は、時刻ｔ１直後の不揮発メモリ１１３を示す。図６（ｂ）では、
（１）ＣＰＵ１１１が実行中の制御テーブル番号ｉ＝０、
（２）実行中の累積保持時間ｔ＝０分、
（３）出力モード＝通常モード、
（４）リセット回数＝４
である。図６（ｂ）に示すように、ＣＰＵ１１１は、操作スイッチ１４０が２秒以上５秒未満の間押された場合は、制御テーブル番号と、計測中の累積保持時間ｔとを不揮発メモリ１１３において「０」にする。すなわちリセットする。このため、（ｂ）ではリセット回数が３から４へと「＋１」されている。
【００２５】
（実施例２）
次に、実施例２を説明する。実施例２は、同じく調光操作途中において５秒以上の操作スイッチ１４０の操作により、ＣＰＵ１１１が、不揮発メモリ１１３の「出力モード」を「通常モード」から「省エネモード」に切り替える。また、この操作を行うたびに、ＣＰＵ１１１は、「省エネモード」と「通常モード」とを交互に切り替える実施例である。
【００２６】
ＣＰＵ１１１は、操作スイッチ１４０から操作信号として「５秒以上のＯＮ信号」（調光率変動信号）を入力すると、制御テーブル１１２−１に含まれる調光率に０．７（所定の比率）を乗じた乗算値に対応する調光信号を生成して照明装置２００に出力する。また、ＣＰＵ１１１は、操作スイッチ１４０から「５秒以上のＯＮ信号」を入力したことにより乗算値に対応する調光信号を生成して照明装置２００に出力している場合に、操作スイッチ１４０から次の「５秒以上のＯＮ信号」を入力すると、省エネモードを通常モードに戻すべく、乗算値の算出の元である調光率に対応する調光信号を生成して照明装置２００に出力する。
【００２７】
さらに具体的に説明する。ＣＰＵ１１１は、図５に示すように、操作スイッチ１４０が５秒以上押された場合には、不揮発メモリ１１３の「出力モード」を変更する。図６（ｂ）は、図５の時刻ｔ２以前（操作スイッチ１４０が５秒押される前）を示し、図６（ｂ）は、時刻ｔ２以降（操作スイッチ１４０が５秒押された後）を示す。図６（ｂ）、（ｃ）に示すように、不揮発メモリ１１３の「出力モード」は「通常モード」から「省エネモード」に変わっている。なお、図６（ｂ）の「出力モード」が「省エネモード」であれば、図６（ｃ）の「出力モード」は「通常モード」となる。
【００２８】
図７を参照して「省エネモード」について説明する。ＣＰＵ１１１は、操作スイッチ１４０からの「５秒以上のＯＮ信号」により不揮発メモリ１１３の「出力モード」を「省エネモード」と記録すると、図７に示す処理を実行する。すなわち、制御テーブル１１２−１に記載された調光率に０．７を乗じた乗算値を新たな調光率とし、この乗算値により制御テーブル１１２−１のそれぞれの組を実行していく。すなわち「省エネモード」では、制御テーブル１１２−１に記載されたそれぞれの調光率の７０％である「省エネモード調光率」に対応する調光信号を生成し出力する。なお、「７０％」とあるのは一例である。また、「省エネモード」に限ることは無く、乗ずる比率を１００％を超える値としても構わない。これは、制御テーブル１１２−１による制御よりも明るめの制御を好むユーザ向けである。図７では、例えばＣＰＵ１１１が通常モードの調光率７０％（制御テーブル番号「０」）を実行中の場合、「省エネモード」では省エネモード調光率４９％である。あるいはＣＰＵ１１１が通常モードの調光率７１％（制御テーブル番号「１」）を実行中の場合は、「省エネモード」では省エネモード調光率４９．７％となる。
【００２９】
（実施例３）
次に図８を用いて実施例３を説明する。実施例３は、電源スイッチ２０と操作スイッチ１４０との操作により、制御テーブル番号「３０」の組を実行する実施例である。すなわち、調光率１００％の一番明るい「組」を実行する場合である。制御テーブル１１２−１における開始調光率（すなわち実行する「組」）を制御テーブル番号「３０」の組に切り替える操作は次の様である。図８に示すように、操作スイッチ１４０を押したままで（操作スイッチ１４０がＯＮ状態のままで）、電源スイッチ２０をＯＦＦからＯＮにし、さらに操作スイッチ１４０のＯＮ状態を２秒以上保持する（時刻ｔ１の位置）。この操作により、ＣＰＵ１１１は制御テーブル１１２−１の制御テーブル番号「３０」の組を実行する。具体的には、この操作により、ＣＰＵ１１１は不揮発メモリ１１３の実行中の制御テーブル番号を「３０」に書き換え、調光率１００％に対応する調光信号を生成して出力する。図８は、時刻ｔ１においてＣＰＵ１１１が制御テーブル番号を「３０」に書き換えたことを示している。
【００３０】
この場合、ＣＰＵ１１１は、累積保持時間ｔは変更しない。その前に実行していた累積保持時間ｔを制御テーブル番号「３０」を実行する場合に引き継ぐ。図９は、ＣＰＵ１１１が制御テーブル番号を「３０」に書き換えた様子を示す図である。図９（ａ）は、制御テーブル番号「７」を累積保持時間ｔ＝４０００分実行している場合を示す。図９（ｂ）は、上記の操作により制御テーブル番号を「３０」に書き換えた場合を示す。図９（ｂ）のように、制御テーブル番号は「７」から「３０」に書き換えられているが、累積保持時間ｔ＝４０００（分）は、引き継いでいる。したがって、ＣＰＵ１１１は、制御テーブル番号「３０」を実行する場合、保持時間Ｔ＝６００００分から４０００分を減じた残余時間である５６０００時間だけ、１００％調光率の調光信号を照明装置２００に出力する。
【００３１】
このように、操作スイッチ１４０は、受け付けた操作に対応する操作信号をＣＰＵ１１１に出力する。そして、ＣＰＵ１１１は、所定の制御テーブル番号（例えば制御テーブル番号「７」）が付与された組の調光率（７７％）に対応する調光信号を照明装置２００に出力している場合に操作スイッチ１４０から上記で述べた所定の操作信号を入力すると、入力したこの所定の操作信号に応じて制御テーブル１１２−１に含まれる所定の制御テーブル番号（この例では「３０」）が付与された組を選択し、選択した組の調光率に対応する調光信号を、選択した組の対応時間から所定の操作信号を入力した時に出力していた調光信号の累積出力時間（４０００分）を減じた残余時間（５６０００分）だけ照明装置２００に出力する。
【００３２】
（実施例４）
次に実施例４を説明する。実施例４は実施例３の操作に対しての追加的操作である。まず、図８の実施例３で説明したように、操作スイッチ１４０を押したままで電源スイッチ２０をＯＦＦからＯＮにし、さらに操作スイッチ１４０のＯＮ状態を２秒以上保持する（時刻ｔ１）。次にその後の１秒以内に操作スイッチ１４０がＯＮからＯＦＦとされるごとに、ＣＰＵ１１１は、制御テーブルの調光率をステップダウンさせる。すなわち、ＣＰＵ１１１は、操作スイッチ１４０をＯＮからＯＦＦにするごとに、制御テーブル番号を「３０」から一つずつステップダウンさせていく。図８において、時刻ｔ１では、不揮発メモリ１１３の制御テーブル番号は「３０」であり、その後の１秒以内の操作スイッチ１４０の操作により不揮発メモリ１１３の制御テーブル番号は「２９」となり（時刻ｔ２）、同様に、その後の１秒以内の操作スイッチ１４０の操作により不揮発メモリ１１３の制御テーブル番号は「２８」となる（時刻ｔ３）。
【００３３】
本実施例４の場合も、制御テーブル１１２−１の調光率のみを変更し、不揮発メモリ１１３の累積保持時間ｔ変更しない。ユーザは、調光率１００％の固定出力で使用したい場合は、この上記実施例３の操作を行い、さらに７０％固定出力（省エネモード）で実施したい場合は、実施例２で述べた操作により省エネモードに切り替えることができる。
【００３４】
なお上記実施例３、あるいは実施例４では、操作スイッチ１４０と電源スイッチ２０との操作の組合せとしたが、操作スイッチ１４０のみの操作によって実行するようにしても構わない。また、実施例３では制御テーブル番号「３０」（１００％調光）を実行するようにしているが、どの制御テーブル番号を実行するように設定してもよい。自由に設定可能である。
【００３５】
また、実施例３、実施例４では累積保持時間ｔを保持し、引き継ぐようにしているが、実施例１のようにリセットしても構わない。すなわち図９（ｂ）で４０００分を引き継いでいるが、リセットして０分から計測を開始しても構わない。
【００３６】
（実施例５）
次に図１０を参照して実施例５を説明する。実施例５は、電源スイッチ２０のＯＦＦ／ＯＮ操作により、不揮発メモリ１１３の制御テーブル番号と累積保持時間ｔとを「０」（初期状態）に戻すリスタート動作を実行する実施例である。図１の電源回路１２０は、商用電源１０から供給される交流電力を直流電力に変換してＣＰＵ１１１に供給する。そして、ゼロクロス検出回路１３０は、電源回路１２０への商用電源からの交流電力の供給のＯＮとＯＦＦとを検出する。すなわち、ゼロクロス検出回路１３０が電源スイッチ２０のＯＮ／ＯＦＦ状態を検出し、これをＣＰＵ１１１が判定する。図１０に示すように、ＣＰＵ１１１は、ゼロクロス検出回路１３０を介して電源スイッチ２０がＯＦＦからの電源再投入（ＯＮ）後、１秒以内に電源ＯＦＦが３回であると判定すると、実行中の制御テーブル番号を「０」にする。図１１は、実施例５を説明する不揮発メモリ１１３の内容である。（ａ）は、電源スイッチ２０の操作前を示し、（ｂ）は操作後を示す。ＣＰＵ１１１は、（ｂ）に示すように制御テーブル番号を「０」にすると、実行中の累積保持時間ｔも０にし、リセット回数を「＋１」とする。なおＣＰＵ１１１は、図１０に示すように、電源投入からＯＮの時間が３秒以上継続されると、リスタート待機状態から通常の運転状態に戻る。
【００３７】
実施の形態２の調光装置１００は、操作スイッチ１４０の操作に基づき、実行する制御テーブルの組の変更が可能である。これにより、調光装置１００は、調光信号の出力値の切り替えが可能となり、ランプの種類の光束維持率に拘束されることなく、照明器具の汚れやユーザの好みに応じて、点灯開始の調光率を選択することが可能となる。また調光装置１００は、強制的に１００％出力（テーブル番号３０）も可能とし、ユーザの好みや、その場の状況に応じて応じて１００％出力を選択できる。
【００３８】
実施の形態２の調光装置１００は、操作スイッチ１４０の操作に基づき、制御テーブルに記載の調光率を低下させた省エネモードを実行可能である。よって、調光装置１００は、省エネモードとするための専用の切り替えスイッチを追加することなく、汎用的な一つの操作スイッチ１４０により、省エネモードに切り替えることができる。
【００３９】
実施の形態２の調光装置１００は、電源スイッチ２０のＯＮ／ＯＦＦを検出することにより、不揮発メモリ１１３のテーブル番号と累積保持時間ｔとを「０」にするリセットスタートが可能である。よって、一つの調光装置１００に複数の照明装置２００が制御対象として接続されている場合、複数の照明装置２００におけるランプの一斉交換に対しては、個々の照明装置２００の操作スイッチ１４０を個別に操作することなく、電源スイッチ２０のＯＦＦ／ＯＮのみで、一括してリスタート（テーブル番号と累積保持時間ｔとを「０」）することができる。
【００４０】
実施の形態３．
次に図１２、図１３を参照して実施の形態３を説明する。実施の形態３は、図１に示した調光装置１００の機能を照明装置２００に内蔵した照明装置３００ａ，３００ｂに関する。
【００４１】
図１２は、照明装置３００ａの構成を示す図である。照明装置３００ａは、調光部３００ａ−１と照明部３００ａ−２とを備える。調光部３００ａ−１は図１の調光装置１００に相当し、照明部３００ａ−２は図１の照明装置２００に相当する。
【００４２】
図１３は、照明装置３００ｂの構成を示す図である。照明装置３００ｂは、調光部３００ａ−１と照明部３００ａ−２とを同一の取付基板４００に取り付けた照明装置である。
【００４３】
本実施の形態３の照明装置３００は、調光装置１００の機能と照明装置２００の機能とを一つの照明装置に組み込むので、個々の照明装置ごとに木目の細かい調光制御を実施することが可能となる。
【００４４】
実施の形態４．
次に図１４を参照して実施の形態４を説明する。実施の形態４は、光、無線、有線等の通信機能を有し、調光装置の不揮発メモリ１１３の情報、および制御テーブル１１２−１の情報を読み込みおよび書き込みを可能としたシステムである。制御テーブル１１２−１を通信手段を介して遠隔より書き換え可能とすることで、光束維持率の異なる様々なランプに対する調光制御が可能になる。
【００４５】
図１４に示すシステムは、操作監視装置と、照明コントローラ（調光装置）と、壁スイッチ（スイッチ）と、複数の照明器具とを備える。操作監視装置は、このシステムを監視する通信機能付コンピュータである。照明コントローラ（調光装置）は、実施の形態１、実施の形態２で説明した調光装置１００の構成、機能を有する。照明装置は、調光信号を入力して調光制御が可能であるとともに操作監視装置と通信が可能である。操作監視装置は、有線、無線（光、電波、電力線搬送）等の通信手段を用いることにより、不揮発メモリ１１３内の情報（制御テーブル番号、累積保持時間ｔ、出力モード、リセット回数）をモニタし、また、制御テーブル１１２−１の情報を読み込みおよび書き込みし、また省エネ効果の確認を行うとともに操作スイッチ１４０の機能を遠隔で実施可能とすることにより省力化することが可能である。
【００４６】
以上の実施の形態１〜実施の形態４に対して以下の構成も可能である。
（１）様々な光束維持率の違うランプの制御テーブルを持つことで、制御テーブルを切り替えて参照することにより明るさが正確な制御を実行してもよい。
（２）実施の形態２：通常モード／省エネモード切り替えでは、７０％の省エネモードのみであるが１００％から点灯装置の調光範囲までスイッチ操作で切り替え可能としても良い。また、開始調光率を切り替える操作では、スイッチ操作又は操作監視装置で調光率をシフトせずに制御情報の制御テーブルを切り替えてもよい。また、点灯装置からランプ切れ、ランプ脱着状態をモニタする信号を調光装置に入力し、運転時間情報として取り扱ってもよい。ランプ切れおよびランプ無し時は保持時間をカウントしないようにする。
【図面の簡単な説明】
【００４７】
【図１】実施の形態１における調光制御システムを示す図。
【図２】実施の形態１における制御テーブル１１２−１を示す図。
【図３】実施の形態１における制御テーブル１１２−１を説明する図。
【図４】実施の形態１における不揮発メモリ１１３を示す図。
【図５】実施の形態２における操作スイッチ１４０のＯＮ／ＯＦＦを示す図。
【図６】実施の形態２における不揮発メモリ１１３の内容変化を示す図。
【図７】実施の形態２における省エネモードを示す図。
【図８】実施の形態２における電源スイッチ２０と操作スイッチ１４０とのＯＮ／ＯＦＦを示す図。
【図９】実施の形態２における不揮発メモリ１１３の内容変化を示す図。
【図１０】実施の形態２における電源スイッチ２０のＯＮ／ＯＦＦを示す図。
【図１１】実施の形態２における不揮発メモリ１１３の内容変化を示す図。
【図１２】実施の形態３における照明装置３００ａの構成を示す図。
【図１３】実施の形態３における照明装置３００ｂの構成を示す図。
【図１４】実施の形態４におけるシステムを示す図。
【図１５】従来例を示す図。
【符号の説明】
【００４８】
１０  商用電源、２０  電源スイッチ、１００  調光装置、１１０  マイコン、１１１  ＣＰＵ、１１２  制御テーブル記憶部、１１２−１  制御テーブル、１１３  不揮発メモリ、１２０  電源回路、１３０  ゼロクロス検出回路、１４０  操作スイッチ、１５０  増幅回路、２００  照明装置、２１０  インバータ装置、２１１  点灯制御回路、２１２  ランプ検出回路、２２０  ランプ、３００ａ，３００ｂ  照明装置、３００ａ−１  調光部、３００ａ−２  照明部、４００  取付基板、１０００  調光制御システム。
【図１】
2007273169.tif 000003
【図２】
2007273169.tif 000004
【図３】
2007273169.tif 000005
【図４】
2007273169.tif 000006
【図５】
2007273169.tif 000007
【図６】
2007273169.tif 000008
【図７】
2007273169.tif 000009
【図８】
2007273169.tif 000010
【図９】
2007273169.tif 000011
【図１０】
2007273169.tif 000012
【図１１】
2007273169.tif 000013
【図１２】
2007273169.tif 000014
【図１３】
2007273169.tif 000015
【図１４】
2007273169.tif 000016
【図１５】
2007273169.tif 000017